(57)【要約】【課題】  家具の引き戸等がスムーズに確実に閉じられるようにする。【解決手段】  走行体１０５の被係止体１０７に係止し被係止体１０７とともに移動可能に設けられる係止体１１と、突出する作動ロッド２７端が係止体１１に当接配置されるダンパー７と、ダンパー７と同方向に配置され係止体１１を一端側において引っ張り付勢するコイルバネ１３と、コイルバネ１３の付勢力の調整体１７、１９、２１、２５とを備える走行制御装置【選択図】図６
2020084746.tif 000002
【特許請求の範囲】
【請求項１】
走行体の被係止体に係止し前記被係止体とともに移動可能に設けられる係止体と、突出する作動ロッド端が前記係止体に当接配置されるダンパーと、前記ダンパーと同方向に配置され前記係止体を一端側において引っ張り付勢するコイルバネと、前記コイルバネの付勢力の調整体と、を備えることを特徴とする走行制御装置。
【請求項２】
前記調整体が、一端が前記コイルバネの他端に連結され途中部に第１ギヤが螺着された作動ネジと、前記第１ギヤに歯合する第２ギヤを備える操作部とから構成される請求項１記載の走行制御装置。
【請求項３】
前記操作部の操作面が、外面に露呈する請求項２記載の走行制御装置。
【発明の詳細な説明】
【技術分野】
【０００１】  この発明は、家具の引き戸等に用いられる走行制御装置に関する。
【背景技術】
【０００２】  家具の引き戸が閉じられる際、強く閉じられると引き戸が家具の側板に当たり衝突音が発生し、また、引き戸が家具の側板面から跳ね返り隙間が生じる。このような問題を解消するように走行制御装置が用いられている（図５参照）。この走行制御装置は家具の引き戸レールの端部に接続配置されるもので、ダンパーとコイルバネを備えている。そして、引き戸が強く閉じられる際にその力をダンパーで吸収し、かつ、コイルバネの引っ張り力により引き戸が最後まで閉じるようにしている。しかしながら、ダンパー性能のバラツキ等により引き戸がスムーズに確実に閉じ状態とならない場合があった。
【発明の概念】
【発明が解決しようとする課題】
【０００３】  この発明は上記の事情に鑑みて行ったもので、引き戸等がスムーズに確実に閉じられる走行制御装置を提供することを目的とする。
【課題を解決するための手段】
【０００４】  この発明では、走行体の被係止体に係止し前記被係止体とともに移動可能に設けられる係止体と、突出する作動ロッド端が前記係止体に当接配置されるダンパーと、前記ダンパーと同方向に配置され前記係止体を一端側において引っ張り付勢するコイルバネと、前記コイルバネの付勢力の調整体と、を備えることを特徴とする走行制御装置を提供する。
【０００５】  上記構成によれば、調整体によりダンパーの吸収力が小さい場合はコイルバネの付勢力を強く、ダンパーの吸収力が大きい場合はコイルバネの付勢力を弱く調整でき、これにより引き戸等の走行体がスムーズに確実に閉じられるようになる。
【０００６】  調整体は、一端が前記コイルバネの他端に連結され途中部に第１ギヤが螺着された作動ネジと、第１ギヤに歯合する第２ギヤを備える操作部とから構成されることで、簡略で動作が安定して行われる構造となり、さらに、操作部の操作面が外面に露呈する構成とされることで、家具等への取り付け後において調整の操作が容易に行われる。
【発明の効果】
【０００７】  この発明の走行制御装置を用いることで、家具の引き戸等がスムーズに確実に閉じられるようになる。
【図面の簡単な説明】
【０００８】
【図１】  この発明の走行制御装置の実施例の斜視図
【図２】  この発明の走行制御装置の実施例のカバーを取り外した状態の斜視図
【図３】  この発明の走行制御装置の実施例の分解斜視図
【図４】  この発明の走行制御装置の実施例の作動体の斜視図
【図５】  この発明の走行制御装置の使用説明図
【図６】  この発明の走行制御装置の動作説明図
【図７】  この発明の走行制御装置の動作説明図
【発明を実施するための形態】
【０００９】  図１はこの発明の走行制御装置の実施例の斜視図、図２は同カバーを取り外した状態の斜視図、図３は同分解斜視図である。走行制御装置１は細長いケース３内に作動体５とダンパー７とが装着され、その上面にカバー６が取り付けられて構成されている。
【００１０】  作動体５は、図４に示すように、係止凹部９を備えケース３のガイド部に沿ってスライド移動するトリガー１１と、一端がトリガー１１後部の一方側に変位可能に連接されるコイルバネ１３と、一端がコイルバネ１３の他端に接続具１５を介して連接されるとともに途中部に傘歯車形態の第１ギヤ１９が螺着された作動ネジ１７と、傘歯車形態の第２ギヤ２１を備え外面を操作面２３とする操作部２５とから構成される。操作部２５は第２ギヤ２１を第１ギヤ１９に歯合するように設けられ、操作面２３をカバー６面に露呈する。上記作動ネジ１７、第１ギヤ１９、操作部２５とからこの発明の調整体が構成される。ダンパー７は突出する作動ロッド２７端がトリガー１１の後部の他方側にスペーサー３０を介して当接するように、コイルバネ１３と同方向に設けられる。
【００１１】  走行制御装置１は、図５に示すように、家具１００の天板１０２にガイドレール１０４の端部に連続するように用いられ、天板１０２の下面にカバー６側を下方に向けて埋設配置される。図６は図５に示す右側の引き戸（走行体）１０５が閉じられている際の走行制御装置１の状態を示し、引き戸１０５のガイドピン（被係止体）１０７がトリガー１１とともに右方への移動位置にあり、コイルバネ１３は収縮した状態にある。引き戸１０５が閉じられる方向に移動する際にＡ位置においてガイドピン１０７がロック状態にあるトリガー１１の係止凹部９に係止し、ガイドピン１０７とともにトリガー１１がダンパー７の押圧力に抗して移動し、引き戸１０５が家具１００の側板１０９に近接して停止する段階でコイルバネ１３によりトリガー１１が家具１００の側板１０９側に引き寄せられ、これによりスムーズに引き戸１０５が閉じられる。
【００１２】  走行制御装置１は、製造段階において使用される家具１００に対応して引き戸１０５を良好に動作制御できるようにコイルバネ１３の付勢力が所定値に調整され、その調整はカバー６における確認窓２０においてコイルバネ１３の端部位置を見ることで行われる。走行制御装置１が家具１００に取り付けられて引き戸１０５の閉じ動作がなされた際に、ダンパー７の性能のバラツキにより引き戸１０５の閉じ動作がスムーズに行われないことがある。その際に操作部２５によりコイルバネ１３の付勢力が調整される。
【００１３】  図６は第１ギヤ１９が作動ネジ１７の右端位置にあり、コイルバネ１３の付勢力が最も小さい状態である。その状態において操作部２５が操作面２３において回転操作されると、第２ギヤ２１に歯合する第１ギヤ１９が回転され作動ネジ１７が右方に変位される。図７は最も変位されて第１ギヤ１９が作動ネジ１７の左端近傍に位置し、コイルバネ１３の付勢力が最も大きい状態である。このようにして操作部２５の操作によりコイルバネ１３の付勢力が適宜に調整され、ダンパー７の性能にバラツキがある場合にも、引き戸１０５の閉じ動作をスムーズに確実できるようになる。その際、操作部２５の操作がカバー６の外面に露呈する操作面２３により外部から行えるので、引き戸１０５の実際の閉じ動作を確認しながらその調整操作が容易になされる。
【符号の説明】
【００１４】１    走行制御装置
３    トリガー（係止体）
７    ダンパー
１３  コイルバネ
１７  作動ネジ（調整体）
１９  第１ギヤ（調整体）
２１  第２ギヤ（調整体）
２５  操作部（調整体）
１０５  引き戸（走行体）
１０７  ガイドピン（被係止体）
【図１】
2020084746.tif 000003
【図２】
2020084746.tif 000004
【図３】
2020084746.tif 000005
【図４】
2020084746.tif 000006
【図５】
2020084746.tif 000007
【図６】
2020084746.tif 000008
【図７】
2020084746.tif 000009